(57)【要約】【課題】容器の上部開口部をフィルムで覆って密閉しフィルムを取り除くことで開口する容器の蓋を、フィルムを取り除いた後でも密閉度を向上できる衛生的で扱い易くする。【解決手段】容器１の上部開口部２周縁に鍔部３を設け、容器１の上部開口部２をフィルム４で覆うことで密閉しフィルム４を取り除くことで開口する容器１に上方から被嵌する容器の蓋において、蓋体５の周縁部に鍔部３の鍔幅に合致する被嵌凹部６を設け、被嵌凹部６の外側垂下部７に鍔部３の外縁に係止する係止部８を１若しくは上下に複数箇所設けると共に、被嵌凹部６の内側垂下部９をフィルム４を取り除いた状態で容器１の上部内面10に面接する構成とし、フィルム４で上部開口部２を密閉している状態では内側垂下部９は容器１内に入らず、一箇所に設けた係止部８若しくは複数箇所に設けた下側の係止部８に鍔部３の外縁が係止して被嵌係止される構成とする。【選択図】図１
2011098742.tif 000002
【特許請求の範囲】
【請求項１】
容器の上部開口部周縁に鍔部を設け、この容器の上部開口部をフィルムで覆うことで密閉しこのフィルムを取り除くことで開口する容器に上方から被嵌する容器の蓋において、蓋体の周縁部に前記鍔部の鍔幅に合致する被嵌凹部を設け、この被嵌凹部の外側垂下部に前記鍔部の外縁に係止する係止部を１若しくは上下に複数箇所設けると共に、この被嵌凹部の内側垂下部を前記フィルムを取り除いた状態で前記容器の上部内面に面接するように構成し、前記フィルムで前記上部開口部を密閉している状態では前記内側垂下部は前記容器内に入らず、前記一箇所に設けた係止部若しくは前記複数箇所に設けた下側の係止部に前記鍔部の外縁が係止して被嵌係止されるように構成したことを特徴とする容器の蓋。
【請求項２】
前記外側垂下部に設けた前記係止部を、前記外側垂下部の内周面の上下二箇所に設け、下側の前記係止部は前記フィルムで前記上部開口部を密閉している状態で前記鍔部の外縁部を係止する下部係止部とし、上側の前記係止部は前記フィルムを取り除いた状態で前記鍔部の外縁部を前記外側垂下部の上部側の内周面で係止する上部係止部としたことを特徴とする請求項１記載の容器の蓋。
【請求項３】
前記内側垂下部は、前記フィルムで前記上部開口部を密閉している状態ではこのフィルムに当接し前記容器の内面に面接せず、前記フィルムを取り除いた状態で前記容器の上部内面に面接するように構成したことを特徴とする請求項１，２のいずれか１項に記載の容器の蓋。
【請求項４】
前記係止部を、前記外側垂下部の内周面11に凸帯を複数箇所設けて、前記凸帯同士の間若しくは前記凸帯と前記被嵌凹部の上部底部との間に、前記鍔部の外縁部がこの凸帯を乗り越え係合する係合溝を形成した構成としたことを特徴とする請求項１〜３のいずれか１項に記載の容器の蓋。
【請求項５】
撓み弾性を有する材料で一体に形成したことを特徴とする請求項１〜４のいずれか１項に記載の容器の蓋。
【発明の詳細な説明】
【技術分野】
【０００１】
本発明は、飲料や食品や薬剤などを入れる封止フィルム付の容器の蓋に関するものである。
【背景技術】
【０００２】
飲料や食品などの内容物を容器に入れて容器の上部開口部をフィルムで密閉し、更にこのフィルムで封止した容器に蓋を被せたものがある。
【発明の概要】
【発明が解決しようとする課題】
【０００３】
このような容器では、フィルムを剥がして内容物を取り出した後、蓋をして一時的に保管しておく場合がある。この場合、例えば、フィルムを剥がした状態で蓋を別のフィルムで覆ったり、蓋を被せたりすることもある。
【０００４】
しかし、一旦フィルムを剥がして取り除いた状態では蓋をしても容器を密閉状態にできず、例えば容器を倒した時に内容物の例えば液体などが漏出したり、飛散したりし易いという問題がある。
【０００５】
本発明は、容器の上部開口部にフィルムで覆って密閉しこのフィルムを取り除くことで開口する容器に上方から被嵌する容器の蓋において、このフィルムを取り除いた後でも簡便に密閉度を向上できる衛生的で扱い易い容器の蓋を提供することを目的とする。
【課題を解決するための手段】
【０００６】
添付図面を参照して本発明の要旨を説明する。
【０００７】
容器１の上部開口部２周縁に鍔部３を設け、この容器１の上部開口部２をフィルム４で覆うことで密閉しこのフィルム４を取り除くことで開口する容器１に上方から被嵌する容器の蓋において、蓋体５の周縁部に前記鍔部３の鍔幅に合致する被嵌凹部６を設け、この被嵌凹部６の外側垂下部７に前記鍔部３の外縁に係止する係止部８を１若しくは上下に複数箇所設けると共に、この被嵌凹部６の内側垂下部９を前記フィルム４を取り除いた状態で前記容器１の上部内面10に面接するように構成し、前記フィルム４で前記上部開口部２を密閉している状態では前記内側垂下部９は前記容器１内に入らず、前記一箇所に設けた係止部８若しくは前記複数箇所に設けた下側の係止部８に前記鍔部３の外縁が係止して被嵌係止されるように構成したことを特徴とする容器の蓋に係るものである。
【０００８】
また、前記外側垂下部７に設けた前記係止部８を、前記外側垂下部７の内周面11の上下二箇所に設け、下側の前記係止部８は前記フィルム４で前記上部開口部２を密閉している状態で前記鍔部３の外縁部を係止する下部係止部12とし、上側の前記係止部８は前記フィルム４を取り除いた状態で前記鍔部３の外縁部を前記外側垂下部７の上部側の内周面11で係止する上部係止部13としたことを特徴とする請求項１記載の容器の蓋に係るものである。
【０００９】
また、前記内側垂下部９は、前記フィルム４で前記上部開口部２を密閉している状態ではこのフィルム４に当接し前記容器１の内面に面接せず、前記フィルム４を取り除いた状態で前記容器１の上部内面10に面接するように構成したことを特徴とする請求項１，２のいずれか１項に記載の容器の蓋に係るものである。
【００１０】
また、前記係止部８を、前記外側垂下部７の内周面11に凸帯14を複数箇所設けて、前記凸帯14同士の間若しくは前記凸帯14と前記被嵌凹部６の上部底部15との間に、前記鍔部３の外縁部がこの凸帯14を乗り越え係合する係合溝16を形成した構成としたことを特徴とする請求項１〜３のいずれか１項に記載の容器の蓋に係るものである。
【００１１】
また、撓み弾性を有する材料で一体に形成したことを特徴とする請求項１〜４のいずれか１項に記載の容器の蓋に係るものである。
【発明の効果】
【００１２】
本発明は上述のように構成したから、容器の上部開口部にフィルムで覆って密閉しこのフィルムを取り除くことで開口する容器に上方から被嵌する容器の蓋において、このフィルムを取り除いた後でも簡便に密閉度を向上できる衛生的で扱い易い容器の蓋になる。
【００１３】
また、請求項２の発明においては、容器への係止を一層高めた扱い易い容器の蓋になる。
【００１４】
また、請求項３の発明においては、容器からフィルムを取り除いても、容器の密閉度を一層高めることができる容器の蓋になる。
【図面の簡単な説明】
【００１５】
【図１】本実施例に係る容器の蓋を外した時のフィルムを取り除いた状態の容器の斜視図である。
【図２】本実施例に係る容器の蓋を外した時のフィルムで覆った状態の容器の斜視図である。
【図３】本実施例の容器の蓋を被嵌した状態のフィルムを覆った容器の斜視図である。
【図４】本実施例に係る容器の蓋を外した時のフィルムで覆った状態の容器の部分断面図である。
【図５】本実施例に係る容器の蓋を外した時のフィルムで覆った状態の容器の部分断面の拡大図である。
【図６】本実施例に係る容器の蓋を被嵌した状態のフィルムで覆った状態の容器の部分断面図である。
【図７】本実施例に係る容器の蓋を被嵌した状態のフィルムで覆った状態の容器の部分断面の拡大図である。
【図８】本実施例に係る容器の蓋を外した時のフィルムを取り除いた状態の容器の部分断面図である。
【図９】本実施例に係る容器の蓋を外した時のフィルムを取り除いた状態の容器の部分断面の拡大図である。
【図１０】本実施例に係る容器の蓋を被嵌した時のフィルムを取り除いた状態の容器の部分断面図である。
【図１１】本実施例に係る容器の蓋を被嵌した時のフィルムを取り除いた状態の容器の部分断面の拡大図である。
【発明を実施するための形態】
【００１６】
好適と考える本発明の実施形態（発明をどのように実施するか）を、図面に基づいて本発明の作用を示して簡単に説明する。
【００１７】
容器１の上面開口部２をフィルム４で覆った状態において、この容器１に上から蓋をする時には、蓋体５の外側垂下部７の下側を容器１の鍔部３の外縁に当接させて蓋体５を押圧すると、前記内側垂下部９は前記容器１内に入らず、前記鍔部３の外縁が外側垂下部７の係止部８で係止することになって、蓋体５が容器１に被嵌係止される。
【００１８】
一方、容器１の上面開口部２からフィルム４を取り除いた状態においては、上述した前記鍔部３の外縁が外側垂下部７の係止部８で係止した状態から更に蓋体５を押圧すると、被嵌凹部６の内側垂下部９が前記容器１の上部内面10に面接すると共に、例えば、前記係止部８を上下に二箇所設けた場合には、更に前記鍔部３の外縁が外側垂下部７の上側の係止部８で係止して蓋体５が容器１に被嵌係止されることになる。即ち、蓋体５の内側垂下部９によって前記容器１が密閉状態になると共に、例えば、前記係止部８を上下に二箇所設けた場合には、外側垂下部７の上側の係止部８で前記鍔部３の外縁が係止されて容器１の密閉状態が保持されることになる。
【００１９】
従って、容器１の上部開口部２のフィルム４を取り除いても、容器１の上方から蓋体５を被嵌して押圧することで、容器１の上部内面10を内側垂下部９で面接した状態で、鍔部３の外縁が蓋体５に設けた係止部８で係止されることになり、容器を覆っているフィルムを取り除いた後でも簡便に密閉度を向上できる衛生的で扱い易い容器の蓋になる。
【００２０】
また、下部係止部12は容器１がフィルム４で密閉されている状態で、蓋体５を容器１に被嵌係止し、容器１からフィルム４を取り除いた状態では、蓋体５を更に押圧することで鍔部３の外縁部を上部係止部13で係止できて、蓋体５を押圧するだけの簡単な操作で容器１の鍔部３を外側係止部７の上部側に係止できることになる。
【００２１】
また、容器１からフィルム４を取り除いた状態では、蓋体５を押圧するだけで内側垂下部９を容器１の上部内面10に面接させて容器１の密閉度を向上できることになる。
【実施例】
【００２２】
本発明の具体的な実施例について図面に基づいて説明する。
【００２３】
本実施例は、内容物22として液体が入った容器１に用いる容器の蓋20であり、この容器１は内容物22を入れた状態で容器１の上部開口部２にフィルム４を貼り付けて密閉状態にしたものである。
【００２４】
容器１は、カップ状をした透明なＰＰで形成した容器であって、この容器１の上部開口部２の周縁に鍔部３として水平鍔部３を設け、内容物22を充填したあとフィルム４を鍔部３に溶着して上部開口部２を密閉し、使用時にこのフィルム４を剥離して取り除くことで開口し得る構成であり、この容器１に上方から蓋20を被嵌するように構成している。
【００２５】
本実施例の蓋20は、蓋体５の周縁部に鍔部３の鍔幅に合致する被嵌凹部６を設け、この被嵌凹部６の外側垂下部７に鍔部３の外縁に係止する係止部８を上下に二箇所設けると共に、上部開口部２からフィルム４を取り除いた状態でこの被嵌凹部６の内側垂下部９が容器１の上部内面10に面接するように構成し、フィルム４で上部開口部２を密閉している状態では内側垂下部９は容器１内に入らず、二箇所に設けた係止部８の内、下側の係止部８に鍔部３の外縁が係止して被嵌係止されるように構成し、この蓋20は撓み弾性を有する材料を用いて一体に形成したものである。
【００２６】
また、外側垂下部７の内周面11に係止部８を上下二箇所に設け、下側の係止部８はフィルム４で上部開口部２を密閉している状態で鍔部３の外縁部を係止する下部係止部12とし、上側の係止部８はフィルム４を取り除いた状態で鍔部３の外縁部を外側垂下部７の上部側の内周面11で係止する上部係止部13としている。
【００２７】
また、蓋体４の内側垂下部９は、フィルム４で上部開口部２を密閉している状態では、内側垂下部９の下端部がこのフィルム４に当接し容器１の内面に面接せず、フィルム４を取り除いた状態で内側垂下部９の垂下面が容器１の上部内面10に面接するように構成した。
【００２８】
従って、フィルム４を外した状態で、容器１の上方から上部開口部２にこの容器の蓋体５を被嵌し、蓋体５の外側垂下部７の下側を容器１の鍔部３の外縁に当接させて蓋体５を押圧すると、内側垂下部９が容器１内の上部内面10に面接せずに、鍔部３の外縁が外側垂下部７の下部係止部12で係止される状態になり、更に蓋体５を更に押圧すると、被嵌凹部６の内側垂下部９が容器１の上部内面10に面接するようになると共に、鍔部３の外縁が外側垂下部７の上部係止部13で係止して蓋体５が容器１に被嵌係止されることになる。
【００２９】
即ち、蓋体５の内側垂下部９によって容器１が密閉状態になると共に、外側垂下部７の上部係止部13で鍔部３の外縁が係止されることになって、容器１の密閉度が向上されることになる。
【００３０】
更に詳細には、この係止部８、即ち、下部係止部12，上部係止部13の夫々は、前記外側垂下部７の内周面11に凸帯14を上下に二箇所設けて、凸帯14同士の間、若しくは凸帯14と被嵌凹部６の上部底部15との間が係止溝16を形成し、水平鍔部３の外縁部が凸帯14を乗り越え係合することで、水平鍔部３が下部係止部12若しくは上部係止部13に嵌合係止する構成である。
【００３１】
本実施例では、上部係止部13を一箇所、下部係止部12を一箇所設けたが、上部係止部13は複数個所設けても良い。
【００３２】
また、この係合溝16の幅は容器１の水平鍔部３の厚みと略同じであり、確実に水平鍔部３を係止できる構成であると共に、この係止溝16を形成する凸帯14は上下方向の断面形状を三角形，台形状若しくは波型とすることで、乗り越え係合を容易に行えるように構成している。
【００３３】
更に、この下側係止部12を形成する下側の凸帯14を内周面11に離散した状態に形成して、フィルム４で上部開口部２を密閉している状態では容器１に被嵌している蓋体５を外し易くなるように構成している。
【００３４】
また更に、蓋体５の中央部に、この蓋体５の表裏に互いに嵌合し得る形状の凹凸部を設けて、蓋体５を複数積層する際のスタック部21を構成し、本実施例では、このスタック部21は多数の蓋体５を重ね合わせた時に密着せず、一枚毎に剥がれやすくなる構成である。
【００３５】
従って、フィルム４を取り除いて内容物22を一定程度低減した状態で、蓋体５を上から容器１に被嵌し蓋体５の周縁部を押圧すると、容器１の水平部鍔部３の外縁が蓋体５の下側の凸帯14に当接した状態になり、蓋体５を押圧するとこの水平部鍔部３の外縁は蓋体５の下側の凸帯14を乗り越えて下側の係合溝16に係合することとなる。次いで更に蓋体５を押圧するとこの水平部鍔部３の外縁は蓋体５の上側の凸帯14を乗り越えて上側の係合溝16に係合することになり、この状態ではこの水平鍔部３は被嵌凹部６の上部底部15に位置する上部係止部13で係止されると共に、容器１の上部内面10を被嵌凹部６の内側垂下部９が面接して容器１を密閉できることになる。
【００３６】
このようにして本実施例の容器１の蓋20は、容器１の上部開口部２のフィルム４を取り外した状態で、内側垂下部９によって容器１を密閉状態に作出でき、鍔部３が上部係止部13で嵌合係止されて蓋20が外れ難くなってこの密閉状態を保持できることになって、防塵、防臭効果はもちろんのこと、容器１を傾斜転倒させても内容物22の漏出や飛散を可及的に低減し得る衛生的で扱い易い容器の蓋になる。
【００３７】
また本実施例においては、フィルム４を取り除いた状態で蓋20を上から容器１に被嵌し押圧することで簡単に容器１の上部開口部２の密閉度を向上し、この状態を保持して外れ難くなる共に、被嵌した蓋20を押し上げると簡単に容器１の上部開口部２を開放状態にすることが可能な扱い易い簡易な構造の容器の蓋になる。
【００３８】
更に、容器１の上面開口部２からフィルム４を取り除いて蓋20で容器１を密閉している状態から蓋20を外す時、蓋20の周縁部に設けた被嵌凹部６の外側垂下部７を持ち上げるようにして蓋20の上側の係止部８から順に下側の係止部８へと容器１の水平鍔部３を外すと、容器１の上部内面10に面接していた被嵌凹部６の内側垂下部９が容器１の上部内面10から外れて蓋20を外すことができることになる。
【００３９】
この際、容器１に入っている内容物22が液体状のものである場合には蓋20の裏側である内側垂下部９より内方にはこの液体状の内容物が付着し得るが、この蓋20の内側垂下部９によって密閉されることで、被嵌凹部６の内側や外側垂下部７、容器１の水平鍔部３には内容物22が付着することを可及的に低減できることになる。
【００４０】
以上、本実施例によれば、容器１を覆っているフィルム４を取り除いた後でも簡便に密閉度を向上し、この状態を保持して防塵、防臭効果の他、容器１を傾斜転倒させても内容物22の漏出や飛散を可及的に低減可能になって、周囲を汚損することを可及的に低減し得る衛生的で扱い易い簡易な構造の容器の蓋20になる。
【００４１】
本実施例では、鍔部３を水平鍔部３としたが、カール状鍔部としてもよい。
【００４２】
尚、本発明は、本実施例に限られるものではなく、各構成要件の具体的構成は適宜設計し得るものである。
【符号の説明】
【００４３】
１  容器
２  上部開口部
３  鍔部
４  フィルム
５  蓋体
６  被嵌凹部
７  外側垂下部
８  係止部
９  内部垂下部
10  上部内面
11  内周面
12  下部係止部
13  上部係止部
14  凸部
15  上部底部
16  係合溝
【図１】
2011098742.tif 000003
【図２】
2011098742.tif 000004
【図３】
2011098742.tif 000005
【図４】
2011098742.tif 000006
【図５】
2011098742.tif 000007
【図６】
2011098742.tif 000008
【図７】
2011098742.tif 000009
【図８】
2011098742.tif 000010
【図９】
2011098742.tif 000011
【図１０】
2011098742.tif 000012
【図１１】
2011098742.tif 000013